(57)【特許請求の範囲】
【請求項１】
部品・機構を収納するハウジングの内部に、電線等の各種コードを挿入するためのコード案内構造において、
前記ハウジングの外壁に、コードを挿入する開口部を設けるとともに、該開口部傍らの外壁自体を内側へと凹ませて、該凹みに沿って前記開口部内に案内されるコードの進行方向を前方へと規制する前向ガイド部を設け、
前記開口部および前向ガイド部を覆うように、前記外壁に装着するカバー部材を備え、
該カバー部材における前記前向ガイド部に相対向する内側に、コードが進入可能な通路部を設け、
カバー部材の一端側に、前記通路部の始端側に連通する挿入口を設け、
カバー部材の他端側に、進入してきたコードを上側前方に位置する前記開口部へ案内する上向ガイド部を設け、
前記カバー部材の上向ガイド部を含んだ他端側を、該カバー部材が前記外壁に装着された状態で開閉可能に構成したことを特徴とするコード案内構造。
【請求項２】
部品・機構を収納するハウジングの内部に、電線等の各種コードを挿入するためのコード案内構造において、
前記ハウジングの外壁に、コードを挿入する開口部を設けるとともに、該開口部傍らの外壁自体を内側へと凹ませて、該凹みに沿って前記開口部内に案内されるコードの進行方向を前方へと規制する前向ガイド部を設け、
前記開口部および前向ガイド部を覆うように、前記外壁に装着するカバー部材を備え、
該カバー部材における前記前向ガイド部に相対向する内側に、コードが進入可能な通路部を設け、
カバー部材の一端側に、前記通路部の始端側に連通する第１挿入口を設け、
カバー部材の一端側であり、前記第１挿入口に隣接する位置に、前記通路部の始端側に連通する第２挿入口を設け、
カバー部材の他端側に、前記第１挿入口および前記第２挿入口より進入してきたコードを上側前方に位置する前記開口部へ案内する上向ガイド部を設けたことを特徴とするコード案内構造。
【発明の詳細な説明】
【０００１】
【発明の属する技術分野】
本発明は、部品・機構を収納するハウジングの内部に、電線等の各種コードを挿入するためのコード案内構造に関する。ここでハウジングとは、例えば、ガス給湯器における奥行幅のある箱型ハウジングであり、この場合の部品・機構とは、熱交換器、バーナーユニット、それに燃焼ファン等の関連部品・機構が該当する。
【０００２】
【従来の技術】
従来、この種のコード案内構造としては、例えば、実開平４−２７３５９号公報に示すようなものがある。
【０００３】
すなわち、奥行幅がある程度深い箱型ハウジング内に熱交換器、コントローラー等を配設した給湯器において、ハウジングの底板に電源コード等を器具内に挿入する開口を設け、該開口の傍らに前記コードの挿入時にコードの先端を器具前面側に導く案内片を設けたものである。
【０００４】
具体的には案内片は、ハウジング内の下隅に固定された端子台取付板の下側部分を、前記開口の真上位置にて後方へ向かって下方へ傾斜するように折曲して設けられている。
【０００５】
【発明が解決しようとする課題】
しかしながら、前述したような従来の技術では、ハウジング内に、開口近傍に位置させる案内片を設けるため板材（端子台取付板）を別途配設する必要があるが、限られた容積内に部品・機構が過密に配されたハウジング内では、スペース的な余裕が乏しいのが普通であり、前記板材を開口近傍に都合よく配設できるとは限らなかった。
【０００６】
また、ハウジング内にてコードを複数まとめて所望の方向にスムーズに導くためには、前記案内板を開口よりかなり離隔した高さ位置まで延びるように傾斜させる必要があるが、前述した如くスペース的な余裕に乏しハウジング内では、案内板の高さをかせぐのが難しかった。
【０００７】
更に、前記案内板は単に傾斜しただけの板状であるので、かかる案内板により導かれるコードの進行方向は実際には定まりにくく、所望する適所にコードを案内できない虞れもあった。
【０００８】
本発明は、以上のような従来技術が有する問題点に着目してなされたもので、ハウジング内にスペース的な余裕がなくても、コードを所望する方向に正確かつスムーズに導くことができるコード案内構造、その部品となるカバー部材、およびコード案内部品を提供することを目的としている。
【０００９】
【課題を解決するための手段】
前述した目的を達成するための本発明の要旨とするところは、以下の各項に存する。
１  部品・機構を収納するハウジング（１１）の内部に、電線等の各種コードを挿入するためのコード案内構造において、
前記ハウジング（１１）の外壁に、コードを挿入する開口部（１３）を設けるとともに、該開口部（１３）傍らの外壁自体を内側へと凹ませて、該凹みに沿って前記開口部（１３）内に案内されるコードの進行方向を前方へと規制する前向ガイド部（１４）を設け、
前記開口部（１３）および前向ガイド部（１４）を覆うように、前記外壁に装着するカバー部材（２０）を備え、
該カバー部材（２０）における前記前向ガイド部（１４）に相対向する内側に、コードが進入可能な通路部（２１）を設け、
カバー部材（２０）の一端側に、前記通路部（２１）の始端側に連通する挿入口（２３，２４）を設け、
カバー部材（２０）の他端側に、進入してきたコードを上側前方に位置する前記開口部（１３）へ案内する上向ガイド部（２５）を設け、
前記カバー部材（２０）の上向ガイド部（３０）を含んだ他端側を、該カバー部材（２０Ａ）が前記外壁に装着された状態で開閉可能に構成したことを特徴とするコード案内構造。
【００１０】
２  部品・機構を収納するハウジング（１１）の内部に、電線等の各種コードを挿入するためのコード案内構造において、
前記ハウジング（１１）の外壁に、コードを挿入する開口部（１３）を設けるとともに、該開口部（１３）傍らの外壁自体を内側へと凹ませて、該凹みに沿って前記開口部（１３）内に案内されるコードの進行方向を前方へと規制する前向ガイド部（１４）を設け、
前記開口部（１３）および前向ガイド部（１４）を覆うように、前記外壁に装着するカバー部材（２０）を備え、
該カバー部材（２０）における前記前向ガイド部（１４）に相対向する内側に、コードが進入可能な通路部（２１）を設け、
カバー部材（２０）の一端側に、前記通路部（２１）の始端側に連通する第１挿入口（２３）を設け、
カバー部材（２０）の一端側であり、前記第１挿入口（２３）に隣接する位置に、前記通路部（２１）の始端側に連通する第２挿入口（２４）を設け、
カバー部材（２０）の他端側に、前記第１挿入口（２３）および前記第２挿入口（２４）より進入してきたコードを上側前方に位置する前記開口部（１３）へ案内する上向ガイド部（２５）を設けたことを特徴とするコード案内構造。
【００１５】
次に作用を説明する。
第１のコード案内構造によれば、ハウジング（１１）の外壁に設けた開口部（１３）傍らの外壁自体を、内側へと凹ませてガイド部（１４）を設けるから、ハウジング（１１）内にて開口部（１３）傍らに他部材を別途配設する必要はなく、ガイド部（１４）がハウジング（１１）内でスペース的にかさばらないで済む。
【００１６】
また、コードはガイド部（１４）により前記開口部（１３）内に案内されるが、コードはガイド部（１４）の凹みに沿うよう所定方向へと進行方向が規制されるので、開口部（１３）よりハウジング（１１）内に入っても所定方向へ正確に案内される。特に第２のコード案内構造によれば、前方ガイド部（１４）によって、コードはハウジング（１１）内の前方へと正確に案内される。
【００１７】
このような第１、第２のコード案内構造では、ガイド部（１４）、前向ガイド部（１４）はハウジング（１１）の外壁自体をプレス加工することで簡単に設けられ、少数のコードをハウジング（１１）内に挿入する場合に特に適するが、コードを複数まとめて案内できるように、なるべく深く凹ませるようにすると外壁に歪が生じたり、またハウジング（１１）内の部品等と干渉する虞れも生じ得る。
【００１８】
そこで、第３のコード案内構造のように、カバー部材（２０）を、前記ハウジング（１１）の外壁に開口部（１３）および前向ガイド部（１４）を覆うよう装着するとよい。カバー部材（２０）の内側には、前記前向ガイド部（１４）に相対向してコードが進入可能な通路部（２１）が設けられているので、前記前向ガイド部（１４）が浅くても、前向ガイド部（１４）と前記通路部（２１）とが合さることで、複数のコードがスムーズに挿通できる広さの空間をかせぐことができる。
【００１９】
カバー部材（２０）をハウジング（１１）の外壁に装着した状態で、カバー部材（２０）の一端側にある挿入口（２３，２４）からコードの先端側を挿入する。すると、コードは前向ガイド部（１４）と前記通路部（２１）とが合さった空間内を、主としてハウジング（１１）側の前向ガイド部（１４）によって前方へと導かれ、カバー部材（２０）側の通路部（２１）の終端側にさしかかると上向ガイド部（２５）によって、その上側前方に位置する開口部（１３）の内部へと該方向から案内される。結局、コードは前記上向ガイド部（２５）および前向ガイド部（１４）によって進行方向が規制され、開口部（１３）を通りハウジング（１１）内の前方へと正確に案内される。
【００２０】
また、第４のコード案内構造によれば、前記カバー部材（２０Ａ）の上向ガイド部（３０）を含んだ他端側を開閉できるので、たくさんのコードを挿通させ案内させる場合に、万一各コードが途中で絡まっても、カバー部材（２０Ａ）の他端側を開けて絡みをほぐしたり、他端側を開いた際に覗ける開口部（１３）へと適正に導くことができる。
【００２１】
更にまた、第５のコード案内部材（４０，５０）によれば、言わば、前述のハウジング（１１）側の前向ガイド部（１４）とカバー部材（２０）とが予め一体化された一部品として取扱うことができるとともに、前記第３のコード案内構造と同等の効果を得ることができる。
【００２２】
【発明の実施の形態】
以下、図面に基づき本発明を代表する各種実施の形態を説明する。
図１〜図１０は本発明の第１の実施の形態を示している。
本実施形態に係るコード案内構造は、奥行幅が深い給湯器１０において、その箱型ハウジング１１の底板１２の後方位置から該ハウジング１１内に電線等の各種コードを挿入する際、コードの先端側を前方へと導くための構造である。
【００２３】
図１に示すように、給湯器１０のハウジング１１は、奥行幅のある底板１２を含み前面側が開口したハウジング本体１１ａと、その前面カバー１１ｂとからなり、かかるハウジング１１内部には、バーナを内蔵するバーナユニット１、熱交換器２、排気カバー３、それに燃焼ファン４等の関連部品・機構がコンパクトに収納されている。
【００２４】
図１および図１０に示すように、コード案内構造は、ハウジングの底板１２に設けられた開口部１３と、該開口部１３に連なるよう底板１２自体に予め一体に設けられた前向ガイド部１４と、開口部１３や前向ガイド部１４を覆うように装着されるカバー部材２０とを具備してなる。開口部１３は、電線やリモコン線等の通常の径の各種コードを最大５本くらい挿入できる開口面積を有する孔であり、図２に示すように、底板１２の側端縁より前側中央を向くようなやや先細りの形状に加工されている。
【００２５】
図２〜図４に示すように、前向ガイド部１４は、前記開口部１３を設けるのと同時に、該開口部１３傍らの底板１２自体を内側へと凹ませるようにプレス加工した部位であり、その凹みに沿って前記開口部１３内に案内されるコードの進行方向を前方へと規制する形状に形成されている。
【００２６】
更に詳しく言えば、前向ガイド部１４は、前後方向に延びる背壁１５と、その両端縁に沿って垂設された両側壁１６，１６とを備える。背壁１５の後端側、すなわちコードを最初に案内させる部位は前方へと向って斜めに傾斜した前方案内面１５ａをなしており、背壁１５の前端側はそのまま開口部１３に連通するように開口し、その前端縁は上向き折曲された帰り１５ｂとなっている。
【００２７】
カバー部材２０は、一般に配線取出口と称される別体部品であり、前記開口部１３および前向ガイド部１４を覆うように、ハウジング１１の底板１２に外側から装着される。図５〜図７に示すように、カバー部材２０における前記前向ガイド部１３に相対向する内側には、コードが進入可能な通路部２１が設けられている。
【００２８】
通路部２１は前向ガイド部１３と合さって、複数のコードが挿通可能な内部空間をなすようになっている。また、通路部２１の周囲には、底板１２に密着させるフランジ２２が形成されており、フランジ２２の適所には、取付け用のねじ止片２２ａが設けられている。
【００２９】
カバー部材２０の後端側には、内側の通路部２１の始端側に連通する継手型の第１挿入口２３が設けられており、この第１挿入口２３の前側にも、カバー部材２０の長手軸心からずれる位置に同型の第２挿入口２４が設けられている。図８および図９に示すように、各挿入口２３，２４の一端側奥部には、前側へ向って湾曲し、コード先端を前方に案内する前方案内面２３ａ，２４ａが形成されている。なお、挿入口２３，２４はどちらか一つのみとしてもよい。
【００３０】
また、カバー部材２０の前端側に、通路部２１内を進入してきたコード先端を上側前方に位置する開口部１３へと案内する上向ガイド部２５が設けられている。上向ガイド部２５の内側が通路部２１に滑らかに連続して緩やかに上方へ向って傾斜した上方案内面２５ａとなっている。なお、コードの本数が少ない場合には、前記前向ガイド部１４のみでコード案内構造としてもよい。
【００３１】
次に第１実施形態の作用を説明する。
本実施形態に係るコード案内構造によれば、図２〜図４に示すように、ハウジング１１の底板１２に設けた開口部１３傍らの底板１２自体を内側へと凹ませて前向ガイド部１４を設ける。従って、従来技術の如くハウジング１１内にて開口部１３傍らに、案内片のような他部材を別途配設する必要はなく、前向ガイド部１４がハウジング１１内でスペース的にかさばることはない。
【００３２】
前向ガイド部１４は、ハウジング１１の底板１２自体をプレス加工することで簡単に設けることができ、少数（１，２本）のコードをハウジング１１内に挿入する場合に特に適する。すなわち、コードの先端は前向ガイド部１４における背壁１５の前方案内面１５ａに当ると、その傾斜に沿って背壁１５の長手方向に案内され、両側壁１６，１６によりコードの進行方向は前方へと規制される。結局コードは、前向ガイド部１４の前端開口より開口部１３に導かれ、該開口部１３からハウジング１１内に入っても前方へと正確に案内される。
【００３３】
ところで、複数のコードをまとめて案内できるように、なるべく前向ガイド部１４を深く凹ませるようプレス成形すると、底板１２に大きな歪が生じたり、またハウジング１１内に収納される部品等と干渉する虞れも生じる。そこで、図２〜図７に示すようなカバー部材２０を、前記ハウジング１１の底板１２に開口部１３および前向ガイド部１４を外側から覆うように装着するとよい。
【００３４】
カバー部材２０の内側には、図７〜図８に示すように、前記前向ガイド部１４に相対向してコードが進入可能な通路部２１が設けられているので、たとえ前向ガイド部１４が浅くても、前向ガイド部１４と通路部２１とが合さることで、複数本のコードがスムーズに挿通できる広さの空間をかせぐことができる。
【００３５】
図１０に示すように、カバー部材２０をハウジング１１の底板１２に装着した状態で、カバー部材２０の第１挿入口２３にコードＡを挿入すると、コードＡの先端は前方案内面２３ａに沿って前方へ曲る。そのままコードＡは、前向ガイド部１４と通路部２１とが合さった空間内を、主としてハウジング１１側の前向ガイド部１４によって前方へと導かれる。
【００３６】
コードＡの先端がカバー部材２０側の通路部２１の終端側にさしかかると、上向ガイド部２５の上方案内面２５ａによって、前記前向ガイド部１４の終端側へと案内される。結局、コードＡは上向ガイド部２５および前向ガイド部１４によって進行方向が規制されつつ、開口部１３よりハウジング１１内の前方へと正確に案内される。カバー部材２０の第２挿入口２４からコードを挿入した場合も、前述したのとほぼ同様に、コードＡは開口部１３よりハウジング１１内の前方へと正確に案内される。
【００３７】
図１１〜図１４は本発明の第２実施形態を示している。
本実施形態は、カバー部材２０Ａの上向ガイド部３０（を含んだ前端側）を、該カバー部材２０Ａが底板１２に装着された状態で開閉可能に構成したものである。すなわち、上向ガイド部３０は、その基端両側にある枢支片３１，３１を介して、カバー部材２０Ａ本体側に開閉自在に枢支されている。かかる上向ガイド部３０の内側が、閉じた際に通路部２１内を進入してきたコード先端を開口部１３へ案内する上方案内面３０ａをなしている。また、上向ガイド部３０を閉じた位置に維持するための簡易ロック機構３２，３３も備えている。
【００３８】
このような第２実施形態によれば、カバー部材２０Ａの上向ガイド部３０を開閉できるので、たくさんのコードを挿通させ案内させる場合に、万一各コードが途中で絡まっても、上向ガイド部３０を手軽に開けて絡みをほぐしたりできる。また、上向ガイド部３０を開けた際に覗ける開口部１３へと手でコードを適正に導くこともできる。なお、本実施形態に係るカバー部材２０Ａは、前述の第１実施形態に係るカバー部材２０と全体的な形状が多少異なるが、第１の実施形態と同種の部位には同一符号を付して重複した説明を省略する。
【００３９】
図１５は本発明の第３実施形態を示している。
本実施形態は、第１実施形態における前向ガイド部１４とカバー部材２０とを予め一体化して構成したコード案内部材４０である。すなわち、コード案内部材４０は、ハウジング１１に設けた開口部１３を覆うように装着する本体４０ａ内に、コードが所定方向に沿うよう進入可能な通路部があり、本体４０ａの後端側に、通路部の始端側に連通する挿入口４３，４４があり、本体４０ａの前端側に、進入してきたコードを前記開口部１３を挿通させてハウジング１１内の前方へと導く出口４５が開設されている。
【００４０】
このようなコード案内部材４０は、予め一体化された一部品として取扱うことができる。なお、コード案内部材４０を装着するハウジング１１の底板１２には、図２における前向ガイド部１４を開口部１３と共に型抜きしたような前後に延びる開口部１３が形成されることになる。
【００４１】
図１６は本発明の第４実施形態を示している。
本実施形態は、第２実施形態における前向ガイド部１４とカバー部材２０Ａとを予め一体化して構成したコード案内部材５０である。すなわち、コード案内部材５０は、ハウジング１１に設けた開口部１３を覆うように装着する本体５０ａ内に、コードが所定方向に沿うよう進入可能な通路部があり、本体５０ａの後端側に、通路部の始端側に連通する挿入口５３，５４がある。
【００４２】
一方、本体５０ａの前端側には、上向ガイド部５０ｂが開閉可能に設けられており、この上向ガイド部５０ｂの上側開口が、前記通路部を進入してきたコードを前記開口部１３を挿通させてハウジング１１内の前方へと導く出口５５となっている。このコード案内部材５０を装着するハウジング１１の底板１２にも、前記第３実施形態と同様に、前向ガイド部１４を開口部１３と共に型抜きしたような前後に延びる開口部１３が形成されることになる。
【００４３】
なお、本発明に係るコード案内構造、その部品となるカバー部材、およびコード案内部品は、その具体的構成が図示した実施の形態に限定されるものではない。例えば、ハウジングの外壁に設ける開口部や前向ガイド部は底板ではなく、ハウジングの側壁に設けるようにしてもよい。また、開口部を型抜きせず外側へ出っ張らせるようにして上向ガイド部の一部（または全部）としてもよい。もちろん、給湯器のハウジングに限定されるものでもない。
【００４４】
【発明の効果】
本発明に係るコード案内構造やコード案内部材によれば、電線等の各種コードを部品・機構が収納されたハウジングの内部に挿入する際に、該ハウジング内にスペース的な余裕がなくても、コードを所望する方向に正確かつスムーズに導き出すことができる。
【図面の簡単な説明】
【図１】本発明の第１の実施形態に係るコード案内構造を含む給湯器を示す分解斜視図である。
【図２】本発明の第１の実施形態に係るコード案内構造の前向ガイド部を示す平面図である。
【図３】図２のIII −III 線における断面図である。
【図４】図２のIV−IV線における断面図である。
【図５】本発明の第１の実施形態に係るコード案内構造のカバー部材を示す正面図である。
【図６】本発明の第１の実施形態に係るコード案内構造のカバー部材を示す底面図である。
【図７】本発明の第１の実施形態に係るコード案内構造のカバー部材を示す平面図である。
【図８】図７のVIII−VIII線における断面図である。
【図９】図７のIX−IX線における断面図である。
【図１０】本発明の第１の実施形態に係るコード案内構造によりコードをハウジング内に挿入する状態を示す作用説明図である。
【図１１】本発明の第２の実施形態に係るコード案内構造のカバー部材を示す正面図である。
【図１２】本発明の第２の実施形態に係るコード案内構造のカバー部材を示す平面図である。
【図１３】図１２のXIII−XIII線における断面図である。
【図１４】図１２のXIV −XIV 線における断面図である。
【図１５】本発明の第３の実施形態に係るコード案内部材を示す正面図である。
【図１６】本発明の第４の実施形態に係るコード案内部材を示す正面図である。
【符号の説明】
１０…給湯器
１１…ハウジング
１２…底板
１３…開口部
１４…前向ガイド部
２０，２０Ａ…カバー部材
２１…通路部
２３…第１挿入口
２４…第２挿入口
２５，３０…上向ガイド部
４０，５０…コード案内部材
【図１】
0003678486.tif 000002
【図２】
0003678486.tif 000003
【図３】
0003678486.tif 000004
【図４】
0003678486.tif 000005
【図５】
0003678486.tif 000006
【図６】
0003678486.tif 000007
【図７】
0003678486.tif 000008
【図８】
0003678486.tif 000009
【図９】
0003678486.tif 000010
【図１０】
0003678486.tif 000011
【図１１】
0003678486.tif 000012
【図１２】
0003678486.tif 000013
【図１３】
0003678486.tif 000014
【図１４】
0003678486.tif 000015
【図１５】
0003678486.tif 000016
【図１６】
0003678486.tif 000017